【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
平たい紙片状部を備えていて、上記紙片状部を歯の間に入れて上記歯の間に挟まったものを取り除く清潔用具であって、
上記紙片状部の周縁の一部では外側へ張り出す複数の突出部が上記周縁に沿って並んでおり、
上記紙片状部を上記突出部がある縁から上記歯の間に入れ更にスライドさせて、上記歯の間に挟まったものを取り除くことを特徴とする、清潔用具。
【請求項２】
上記紙片状部の変形を抑える保形部を備えていることを特徴とする、請求項１に記載の清潔用具。
【請求項３】
上記紙片状部が平面視で横長の矩形型に形成されていて、
上記保形部は、
上記紙片状部の一方の長辺側の縁に沿って着脱自在に取り付けられて横に延びた摘み部材と、
上記紙片状部の短辺側の縁と平行に延びるように上記紙片状部の面に設けられた縦部と、を備えており、
上記突出部がある上記縁が上記紙片状部の他方の長辺側の縁であることを特徴とする、請求項２に記載の清潔用具。
【請求項４】
上記紙片状部が平面視で横長の矩形型に形成されていて、
上記保形部は、
上記紙片状部の一方の長辺側の縁と平行に延びるように上記紙片状部の面に設けられた横部と、上記紙片状部の短辺側の縁と平行に延びるように上記紙片状部の面に設けられた縦部と、を備えており、
上記突出部がある上記縁が上記紙片状部の他方の長辺側の縁であることを特徴とする、請求項２に記載の清潔用具。
【請求項５】
上記紙片状部の面は一部が非平滑に構成されていることを特徴とする、請求項１から請求項４の何れかに記載の清潔用具。
【請求項６】
上記突出部がある上記縁側を区切るように突出側境界部を備え、
上記突出側境界部は、隣接する領域を分ける突出側切断部と、隣接する領域をつなぐ突出側非切断部とを、破線状に交互に複数並べて、上記突出部がある上記縁側を分離可能に構成すると共に、上記突出部がある上記縁側の分離の際に外側へ張り出す複数の他の突出部を形成する第２突出形成部として設けられていることを特徴とする、請求項１から請求項５の何れかに記載の清潔用具。
【請求項７】
面を一部の領域に区切るように境界部を設けたシート材を備え、
上記境界部は、隣接する領域を分ける切断部と隣接する領域をつなぐ非切断部とを破線状に交互に複数並べて上記一部の領域を上記紙片状部として分離可能に構成すると共に、上記一部の領域の分離の際に上記突出部を形成する突出形成部として設けられていることを特徴とする、請求項１から請求項５の何れかに記載の清潔用具。
【請求項８】
上記シート材は上記境界部を境に上記紙片状部が複数つづられて構成されていることを特徴とする、請求項７に記載の清潔用具。
【手続補正２】
【補正対象書類名】明細書
【補正対象項目名】０００８
【補正方法】変更
【補正の内容】
【０００８】
また、本発明は、上記突出部がある上記縁側を区切るように突出側境界部を備えてもよい。上記突出側境界部は、隣接する領域を分ける突出側切断部と、隣接する領域をつなぐ突出側非切断部とを、破線状に交互に複数並べて、上記突出部がある上記縁側を分離可能に構成すると共に、上記突出部がある上記縁側の分離の際に外側へ張り出す複数の他の突出部を形成する第２突出形成部として設けられる。
【手続補正３】
【補正対象書類名】明細書
【補正対象項目名】００１５
【補正方法】変更
【補正の内容】
【００１５】
非切断部１２２におけるつながりが破壊可能であり、シート部材１０は、複数の紙片状部１１０がつながって構成されている。図示例では四枚の紙片状部１１０でシート部材１０を構成している。図２は清潔用具１を示す平面図であって一つの紙片状部１１０が分離した状態を表している。以下、分離した紙片状部１１０には符号１１０に代えて符号１１０′を用いる。また、紙片状部１１０′が切除されたシート部材１０の残りを残余部１２と呼ぶ場合がある。
【手続補正４】
【補正対象書類名】明細書
【補正対象項目名】００１６
【補正方法】変更
【補正の内容】
【００１６】
図２に示すように、紙片状部１１０′は、平面視で縦より横の寸法を大きく（Ｗ＞Ｌ）設定されていて、長辺と短辺で成る縁で囲われた横長に広がる面を有する。紙片状部１１０′の長辺側の縁はそれぞれ外側へ張り出す突出部１１１が横に並んで凹凸型に形成されている。境界部１２０が突出形成部としてシート部材１０に設けられていて、シート部材１０から紙片状部１１０′を分離する際に、非切断部１２２が全て切断されることで紙片状部１１０′の縁の一部に突出部１１１を形成する。
【手続補正５】
【補正対象書類名】明細書
【補正対象項目名】００１９
【補正方法】変更
【補正の内容】
【００１９】
また、摘み部材２０は、紙片状部１１０′より剛性が高く構成されており、紙片状部１１０′の長辺側を挟んで、保形部として紙片状部１１０′が横に広がる状態を保持するよう働く。なお、図示例では使用前のシート部材１０において、摘み部材２０が一つ縁に取り付けられた形態を表している。
【手続補正６】
【補正対象書類名】明細書
【補正対象項目名】００２８
【補正方法】変更
【補正の内容】
【００２８】
（使用方法）
清潔用具１Ａの使用方法は、第１実施形態の清潔用具１Ａと同様に、シート部材１０Ａから一枚の紙片状部１１０Ａ′を切り離して利用する。切り離した紙片状部１１０Ａ′で横部１３０が寄せて設けられる一方の長辺側を摘み、紙片状部１１０Ａ′を口に入れ、図５（ａ）に示す第１実施形態の紙片状部１１０′と同様に、他方の長辺側に設けられる突出部１１１を対象となる歯５Ａ，５Ｂの間へ向ける。これに続けて、図５（ｂ）に示す第１実施形態の紙片状部１１０′と同様に、紙片状部１１０Ａ′を歯５Ａ，５Ｂの間に入れ、更に口の内側から外側へまたその逆向へ紙片状部１１０Ａをスライドさせる。これにより歯５Ａ，５Ｂの間に挟まったものが突出部１１１に引っ掛かり、取り除くことができる。
【手続補正７】
【補正対象書類名】明細書
【補正対象項目名】００３１
【補正方法】変更
【補正の内容】
【００３１】
シート部材１０Ｂは、平面視で、紙片状部１１０Ｂが縦につづられて構成されており、境界部１２０を境に紙片状部１１０Ｂを切り離すことができる。図７（ｃ）は図７（ａ）のシート部材１０Ｂから切り離した紙片状部１１０Ｂを示す平面図である。以下、分離した紙片状部１１０Ｂには符号１１０Ｂに代えて符号１１０Ｂ′を用いる。紙片状部１１０Ｂ′は、平面視で縦より横の寸法を大きく（Ｗ＞Ｌ）設定されていて、長辺と短辺で成る縁で囲われた横長に広がる面を有する。
【手続補正８】
【補正対象書類名】明細書
【補正対象項目名】００３３
【補正方法】変更
【補正の内容】
【００３３】
図示例では、凸部１４１が、長辺側の縁に設けられる突出部１１１を除いて、紙片状部１１０Ｂ′のほぼ全体に亘って複数設けられているが、紙片状部１１０Ｂ′の横長の面の内、例えば中央の一部に設けたりして、平滑な箇所が非平滑な箇所より広く現れるように構成してもよい。また、紙片状部１１０Ｂ′では、一方の面に凸部１４１を複数、他方の面に凹部１４２を複数備えているが、両方の面それぞれに凸部１４１と凹部１４２とを複数設けてもよい。
【手続補正９】
【補正対象書類名】明細書
【補正対象項目名】００３８
【補正方法】変更
【補正の内容】
【００３８】
シート部材１０Ｃは、平面視で、紙片状部１１０Ｃが縦につづられて構成されており、境界部１２０を境に紙片状部１１０Ｃを切り離すことができる。図８（ｃ）は図８（ａ）のシート部材１０Ｃから切り離した紙片状部１１０Ｃを示す平面図である。以下、分離した紙片状部１１０Ｃには符号１１０Ｃに代えて符号１１０Ｃ′を用いる。紙片状部１１０Ｃ′は、平面視で縦より横の寸法を大きく（Ｗ＞Ｌ）設定されていて、長辺と短辺で成る縁で囲われた横長に広がる面を有する。
【手続補正１０】
【補正対象書類名】明細書
【補正対象項目名】００３９
【補正方法】変更
【補正の内容】
【００３９】
本実施形態の紙片状部１１０Ｃ′は、突出部１１１が設けられる縁側を区切るよう、突出側境界部として第２境界部１５０を設けている。第２境界部１５０は、紙片状部１１０Ｃ′の内、隣接する領域を分ける突出側切断部（以下、切断部１５１と呼ぶ。）と、隣接する領域をつなぐ突出側非切断部（以下、非切断部１５２と呼ぶ。）とを破線状に交互に複数並べて構成されている。
【手続補正１１】
【補正対象書類名】明細書
【補正対象項目名】００４２
【補正方法】変更
【補正の内容】
【００４２】
（使用方法）
清潔用具１Ｃの使用方法は、第１実施形態の清潔用具１と同様に、一枚の紙片状部１１０Ｃ′を切り離して利用する。切り離した紙片状部１１０Ｃ′の一方の長辺側の縁に摘み部材２０を取り付け、摘み部材２０を摘んで紙片状部１１０Ｃ′を口に入れ、図５（ａ）に示す第１実施形態の紙片状部１１０と同様に、他方の長辺側に設けられる突出部１１１を対象となる歯５Ａ，５Ｂの間へ向ける。これに続けて、図５（ｂ）に示す第１実施形態の紙片状部１１０と同様に、紙片状部１１０Ｃ′を歯５Ａ，５Ｂの間に入れ、更に口の内側から外側へまたその逆向へ紙片状部をスライドさせる。これにより歯５Ａ，５Ｂの間に挟まったもの７が突出部１１１に引っ掛かり、取り除くことができる。
【手続補正１２】
【補正対象書類名】明細書
【補正対象項目名】００４５
【補正方法】変更
【補正の内容】
【００４５】
シート部材１０Ｄは、平面視で、紙片状部１１０Ｄが縦につづられて構成されており、境界部１２０を境に紙片状部１１０Ｄを切り離すことができる。図９（ｂ）は図９（ａ）のシート部材１０Ｄから切り離した紙片状部１１０Ｄを示す平面図である。以下、分離した紙片状部１１０Ｄには符号１１０Ｄに代えて符号１１０Ｄ′を用いる。紙片状部１１０Ｄ′は、平面視で縦より横の寸法を大きく（Ｗ＞Ｌ）設定されていて、長辺と短辺で成る縁で囲われた横長に広がる面を有する。
【手続補正１３】
【補正対象書類名】明細書
【補正対象項目名】００４８
【補正方法】変更
【補正の内容】
【００４８】
清潔用具１Ｄの使用方法は、第１実施形態の清潔用具１と同様に、一枚の紙片状部１１０Ｄ′を切り離して利用する。切り離した紙片状部１１０Ｄ′の一方の長辺側の縁に摘み部材２０を取り付ける。摘み部材２０を取り付ける際、摘み部材２０が紙片状部１１０Ｄ′の全ての縦部１６０を挟むように、一方の長辺側の縁に取り付ける。摘み部材２０の取付後、摘み部材２０を摘んで紙片状部１１０Ｄ′を口に入れ、図５（ａ）に示す第１実施形態の紙片状部１１０′と同様に、他方の長辺側に設けられる突出部１１１を対象となる歯５Ａ，５Ｂの間へ向ける。これに続けて、図５（ｂ）に示す第１実施形態の紙片状部１１０′と同様に、紙片状部１１０Ｄ′を歯５Ａ，５Ｂの間に入れ、更に口の内側から外側へまたその逆向へ紙片状部をスライドさせる。これにより歯５Ａ，５Ｂの間に挟まったもの７が突出部１１１に引っ掛かり、取り除くことができる。
【手続補正１４】
【補正対象書類名】明細書
【補正対象項目名】００５２
【補正方法】変更
【補正の内容】
【００５２】
シート部材１０Ｅは、平面視で、紙片状部１１０Ｅが縦につづられて構成されており、境界部１２０を境に紙片状部１１０Ｅを切り離すことができる。図１０（ｂ）は図１０（ａ）のシート部材１０Ｅから切り離した紙片状部１１０Ｅを示す平面図である。以下、分離した紙片状部１１０Ｅには符号１１０Ｅに代えて符号１１０Ｅ′を用いる。紙片状部１１０Ｅ′は、平面視で縦より横の寸法を大きく（Ｗ＞Ｌ）設定されていて、長辺と短辺で成る縁で囲われた横長に広がる面を有する。
【手続補正１５】
【補正対象書類名】明細書
【補正対象項目名】００５６
【補正方法】変更
【補正の内容】
【００５６】
清潔用具１Ｅの使用方法は、第２実施形態の清潔用具１Ａと同様に、一枚の紙片状部１１０Ｅ′を切り離して利用する。
【手続補正１６】
【補正対象書類名】明細書
【補正対象項目名】００５８
【補正方法】変更
【補正の内容】
【００５８】
本発明の清潔用具は、以上の説明や図示例に限定されるものではない。上記説明では、紙片状部がつづられた構成を示したが、一枚の紙片状部を単体で製造し清潔用具として利用することもでき、この場合、一方の長辺の縁にだけ突出部を設けてもよい。